(57)【要約】【課題】表示体を抜け難く、そしてしっかり支持でき、鍔が無いタイプの容器にも適用でき、低廉なコストで出来る苗育成用容器を提供することである。【解決手段】故紙などの紙製の苗育成用容器であって、周壁ブランク体Ｘからなる周壁１１と、周壁１１の下部に設けられた底板ブランク体Ｙからなる底板１２とで構成されている容器本体部１と、前記容器本体部の周壁１１の上方部に打ち抜きにより形成された表示体挿入用の孔２とを具備する。【選択図】  図１
2005046026.tif 000002
【特許請求の範囲】
【請求項１】
紙製の苗育成用容器であって、
容器本体部と、
前記容器本体部の周壁部に形成された表示体挿入用の孔
とを具備することを特徴とする苗育成用容器。
【請求項２】
表示体挿入用の孔の上方側における周壁部に印が構成されてなることを特徴とする請求項１の苗育成用容器。
【請求項３】
表示体挿入用の孔の上方側及び／又は下方側における周壁部に上下方向に沿った折曲部が構成されてなることを特徴とする請求項１の苗育成用容器。
【請求項４】
容器本体部の周壁部に表示体挿入用の孔が形成された紙製の苗育成用容器の製造方法であって、
紙製シートから孔付き周壁体を打ち抜き形成する孔付き周壁体打抜き工程と、
紙製シートから底板体を打ち抜き形成する底板体打抜き工程と、
前記孔付き周壁体の両端縁部を接合して筒状体を形成すると共に前記底板体を組合わせて容器本体部を組立てる組立工程
とを具備することを特徴とする苗育成用容器の製造方法。
【請求項５】
容器本体部の表示体挿入用の孔の上方側及び／又は下方側における周壁部に上下方向に沿った折曲部を形成する為の折目ラインを形成する工程を更に具備することを特徴とする請求項４の苗育成用容器の製造方法。
【発明の詳細な説明】
【０００１】
【発明が属する技術分野】
本発明は、例えば野菜や花等の植物の苗育成用容器に関する。
【０００２】
【発明が解決しようとする課題】
従来より、育苗用の容器として、ポリエチレン等から量産される薄い柔軟性のあるコップ形状のものが普及している。苗の育成や出荷の際には、この容器に植物の種もしくは苗を土壌と共に収容し、植物の名前や写真等を明示した表示体を容器内の土壌に挿し込んでいた。しかし、苗の育成に極めて重要な表示体を単に土壌中に挿し込むことによって設置しているため、表示体は抜け取れ易く、紛失することが多かった。
【０００３】
そこで、苗育成用容器の上端縁に鍔部を形成し、この鍔部に−形状の孔（スリット）を設け、このスリットに植物の名前や写真等を明示した表示体を挿し込むようにしたものが提案された（例えば、特許文献１参照。）。
【特許文献１】
実公平７−３３６４０号公報
【０００４】
ところで、コスト面や取扱性の面から、容器は柔らかな材料で構成されることが多い。このような柔らかな材料で容器が構成されていると言うことは、容器の機械的強度が十分で無いと言うことである。このことは、取りも直さず、鍔の部分の機械的強度が弱いことを示している。しかるに、鍔は、表示体を支持するものであるから、機械的強度が弱いと、表示体を十分には支持できない。例えば、表示体を鍔のスリットに挿し込むことで支持させた場合のみでは、風などが弱い日には表示体が起立状態で保持されていても、風の強い日には吹き飛ばされたり、倒れてしまったりする。特に、表示体が倒れたりすると、苗が傷つく。更に、スリットに挿し込まれた表示体の姿勢はほぼ一つの方向に決まってしまう。このことは、表示体を見る姿勢に制約が掛かり、場合によっては見にくい場合がある。
【０００５】
このように、鍔の部分で表示体を支持する方式は決して満足できるものでは無い。
【０００６】
又、上記提案のものでは、鍔が無いタイプのものには適用できない。
【０００７】
更に、鍔を形成しなければならないと言うことは、容器の形状もそれだけ複雑になり、又、材料もそれだけ多く要り、コストが高く付く。
【０００８】
そこで、本願出願人は、上記課題を解決するものとして、苗育成用容器であって、容器本体部と、前記容器本体部の周壁に形成された孔とを具備することを特徴とする苗育成用容器を提案した。
【０００９】
そして、この提案になる苗育成用容器は上記問題点を解決するものであった。
【００１０】
ところで、上記提案の苗育成用容器にも、泣き所が有ることが判って来た。
【００１１】
それは、上記提案の苗育成用容器は、基本的に、軟質樹脂で薄く成形されたものであることから、製造に手間が掛かり、コストが高く付くと言うことである。すなわち、容器本体部の周壁に表示体差込用の孔が形成されていることが必須の要件であり、この孔が大きな意味を持っている。ところで、この孔をどのように形成しているかと言うと、所定形状の容器本体が成形された後、一つ一つ孔開けしているものである。すなわち、容器本体は軟質樹脂で薄く構成されていることから、容器本体の成形時に孔を形成することが出来ないのである。そして、成形後に、一つ一つ孔開けしている。このため、手間が掛かり、コストが高く付いてしまうのであった。
【００１２】
更に、上記提案の苗育成用容器を育苗トレーにセットした後に表示体をスリットに挿し込む場合、スリットの部分が隠れてしまうため、セットした苗育成用容器をわざわざ持ち上げてスリットの位置を確認しなければならなかった。
【００１３】
従って、本発明が解決しようとする第１の課題は、表示体を抜け難く、そしてしっかり支持できる苗育成用容器を提供することである。
【００１４】
本発明が解決しようとする第２の課題は、低廉なコストで出来る苗育成用容器を提供することである。
【００１５】
本発明が解決しようとする第３の課題は、表示体を支持する姿勢を調節できる苗育成用容器を提供することである。
【００１６】
本発明が解決しようとする第４の課題は、鍔が無いタイプの容器にも適用できる苗育成用容器を提供することである。
【００１７】
本発明が解決しようとする第５の課題は、スリットの位置が確認できる苗育成用容器を提供することである。
【００１８】
【課題を解決するための手段】
前記第１〜第５の課題は、紙製の苗育成用容器であって、
容器本体部と、
前記容器本体部の周壁部に形成された表示体挿入用の孔
とを具備することを特徴とする苗育成用容器によって解決される。
【００１９】
又、容器本体部の周壁部に表示体挿入用の孔が形成された紙製の苗育成用容器の製造方法であって、
紙製シートから孔付き周壁体を打ち抜き形成する孔付き周壁体打ち抜き工程と、
紙製シートから底板体を打ち抜き形成する底板体打ち抜き工程と、
前記孔付き周壁体の両端縁部を接合して筒状体を形成すると共に前記底板体を組合わせて容器本体部を組立てる組立工程
とを具備することを特徴とする苗育成用容器の製造方法によって解決される。
【００２０】
本発明になる苗育成用容器は、従来から公知の紙製コップ製造技術を応用して簡単、かつ、低廉なコストで得られる。
【００２１】
先ず、一定の厚みの板紙（紙資源のリサイクルの観点から、故紙製の板紙）から、プレス手段により、例えば扇形状（又は矩形状）のブランク体を形成する。このプレス時に、同時に、所定の位置に孔（表示体挿入用の孔）が開けられる。
【００２２】
又、一定の厚みの板紙（紙資源のリサイクルの観点から、故紙製の板紙）から、プレス手段により、容器本体の底部に該当する略楕円形状（円形から両端の部分（略Ｄ形）を切り取った形状）、又は円形状とか矩形状（容器の底面形状に応じた形状）のブランク体を形成する。尚、ブランク体が容器の底面部形状と同じである場合、ブランク体によって容器本体部の底面が全面的に封鎖されることになるので、プレス工程時に、同時に、適宜な位置、例えば中心部に孔（水抜き用の孔）を開ける。
【００２３】
そして、上記扇形状ブランク体を円錐状のマンドレルに巻き付け、左右の端縁部を重ね合わせて接合すると共に、上記略楕円形状ブランク体を挿入して接合することにより、所謂、コップ形状の紙製の苗育成用容器が得られる。
【００２４】
従来の紙コップと本願発明の苗育成用容器との相違点は、孔が形成されているか否かに過ぎない。しかしながら、この孔は、周壁板や底板のプレス時に同時に形成できるものであり、製造工程上は何ら問題になるものでは無く、又、組立接合工程においても何ら問題になるものでは無い。
【００２５】
従って、従来の紙コップ製造技術を応用することによって、本願発明の苗育成用容器は簡単、かつ、低コストで得られる。
【００２６】
すなわち、容器本体部の周壁に形成された表示体挿入用の孔は、容器本体部をペラペラの軟質樹脂で構成した場合には、一つ一つ形成せざるを得なかったのに対して、容器本体部を厚紙のような紙で構成することにより、プレス時に同時に一度で形成でき、製造能率よく低廉なコストで苗育成用容器を提供できるのである。他に、巻き取りコップ原紙を印刷する時に所定のブランクの所在位置に切り込みを入れることもできる。
【００２７】
そして、容器本体部の周壁に表示体挿入用の孔を形成していると、孔に挿し込まれた表示体は、容器本体部内に充填された土壌によって圧力を受け、この圧力によって抜け難くなる。かつ、表示体をしっかりと支持する。すなわち、孔と表示体との掛止力のみで表示体を支持する場合に比べて、土壌の圧力による支持が更に加わるから、抜け難く、かつ、強固に支持される。
【００２８】
更に、土壌への挿込方向を少し変えれば、表示体の起立角度を調節できる。場合によっては、ほぼ水平方向に表示体を支持することも出来る。例えば、水平方向に表示体を支持させた場合には、垂直方向に支持させた場合よりも、地面上に置かれた容器を真上の立った状態で見ようとした場合、表示体の文言を見やすい。
【００２９】
本発明の苗育成容器は、表示体挿入用の孔の上方側における周壁部に印が構成されていることが好ましい。このような印は、上記製造方法に際して、つまり孔付き周壁体打抜き工程において、容器本体部の表示体挿入用の孔の上方側における周壁部に印を入れる為のラインを形成しておくことによって簡単に構成できる。つまり、上記のような印を入れておけば、苗育成用容器を育苗トレーにセットした後に表示体をスリットに挿し込む場合であっても、セットした苗育成用容器をわざわざ持ち上げることなくスリットの位置が確認できるようになる。
【００３０】
本発明の苗育成用容器は、表示体挿入用の孔の上方側及び／又は下方側（特に、上方側）における周壁部に上下方向に沿った折曲部が構成されていることが好ましい。このような折曲部は、上記製造方法に際して、つまり孔付き周壁体打抜き工程において、容器本体部の表示体挿入用の孔の上方側及び／又は下方側（特に、上方側）における周壁部に上下方向に沿った折曲部を形成する為の折目ラインを形成しておくことによって簡単に構成できる。つまり、上記のような折目を周壁部に形成しておけば、該折目に沿って周壁部を簡単に折り曲げることが出来、折曲部が構成される。そして、このような折曲部が構成されていると、表示体挿入用の孔の部分が立体的な構造となるので、表示体を極めてスムーズに挿入できるようになる。そして、表示体挿入動作を容易にする孔の部分が立体的な構造が保持される由縁は、周壁部が紙製であることにも基づく。すなわち、周壁部が強度に乏しいポリエチレンフィルムのようなペラペラな素材で構成されていると、折目ラインが形成されても、立体構造を保持させられ難いからである。
【００３１】
本発明において、機械的強度向上の面から、容器本体部の上端部や下端部にはカール加工が施されていることが好ましい。
【００３２】
本発明において、表示体挿入用の孔（スリット）は、例えば半楕円形状などの非直線形状に形成されていることが好ましい。このようにすることによって、表示体を孔（スリット）に挿込み易い。又、表示体の掛止をより確実なものに出来る。勿論、これに限られるものでは無い。例えば、−形状の孔（スリット）であっても良い。
【００３３】
又、前記の課題は、
紙製の容器本体部と、
前記容器本体部の周壁部に形成された表示体挿入用の孔と、
前記孔に差し込まれた苗に関する情報が表示された表示板
とを具備することを特徴とする苗育成用容器によって解決される。
【００３４】
又、前記の課題は、
紙製の容器本体部と、
前記容器本体部の周壁部に形成された表示体挿入用の孔と、
前記容器本体部に充填された土壌と、
前記孔に差し込まれ、前記土壌によって一部が押圧されてなる苗に関する情報が表示された表示板
とを具備することを特徴とする苗育成用容器によって解決される。
【００３５】
【発明の実施の形態】
図１〜図５は本発明の苗育成用容器の実施の形態を示すもので、図１は苗育成用容器の斜視図、図２は表示体の正面図、図３は苗育成用容器に土壌が充填されると共に表示体が支持されている状態での斜視図、図４および図５は苗育成用容器の製造工程説明図である。
【００３６】
先ず、図４に示される如く、表面が防水コートされた故紙製シートをプレス手段で扇形状に打ち抜き、周壁ブランク体Ｘを得る。勿論、このプレス時には、同時に、後述の表示体挿入用の孔となるスリットＸｓが打ち抜きにより形成される。又、同時に、スリットＸｓの長手方向に交差する方向に沿って印Ｘｙが形成される。尚、本実施の形態では、スリットＸｓ方向に交差する方向に沿って折目ラインＸｙがプレスにより形成されるものとする。
【００３７】
又、図５に示される如く、表面が防水コートされた故紙製シートをプレス手段で略楕円形状に打ち抜き、底板ブランク体Ｙを得る。
【００３８】
尚、上記故紙は、パルプモード、生分解性素材等、種々のものが考えられるが、本発明においては限定しない。又、上記防水材料としては、ポリエチレンラミ等、種々のものが考えられるが、生分解性の樹脂を用いることは好ましいものである。
【００３９】
そして、上記周壁ブランク体Ｘと底板ブランク体Ｙとを用い、かつ、所謂、紙コップ製造技術を用いて、つまり周壁ブランク体Ｘを円錐状のマンドレルに巻き付け、左右の端縁部を重ね合わせて接合すると共に、底板ブランク体Ｙを挿入して接合することにより、図１に示されるような苗育成用の容器本体１が得られる。
【００４０】
すなわち、１は、故紙を用いて構成された苗育成用の容器本体である。そして、容器本体１は、周壁ブランク体Ｘからなる周壁１１と、周壁１１の下部に設けられた底板ブランク体Ｙからなる底板１２とで構成されている。尚、図示していないが、強度をより確保するため、周壁１１の上端縁と下端縁とは共にカール加工が施されている。特に、周壁１１の上端縁がカール加工されているので、容器本体１を持った際に、外側にカールした上端カール部が手に引っ掛かり、落とし難いものともなっている。
【００４１】
２は、容器本体１の周壁１１の適宜な位置に形成されたスリットである。このスリット２は、言うまでも無く、上記スリットＸｓである。そして、スリット２は、植物の名前や写真等を明示した表示体が挿し込まれるためのものである。尚、スリット２の形成位置は、格別に限定されるものでは無いが、好ましくは上方部（例えば、上端縁から周壁１１の高さの１０％〜３０％程度の範囲）において、水平方向（横方向）に沿って設けられている。そして、スリット２の形状は、如何なる形状であっても良い。例えば、波形状とか半楕円形状などの非直線形状に形成されている。本実施の形態では、長方形状としている。又、スリット２は、１個設けられているが、幾つでも良い。
【００４２】
３は、スリット２の上方側の位置に形成された折目ラインＸｙに沿って周壁１１を折り曲げることによって構成された折曲部（印）である。この折曲部３は、紙を折り曲げることによって構成されたものであるから、対応するスリット２の開口形状が三次元的な立体構造を持ったものとなっている。
【００４３】
４は、植物の名前や写真等を明示した表示体であり、例えば薄いプラスチックシート等から構成されている。表示体４には、図２に示した通り、上方に開口する切込み部５ａ，５ｂが下方部に設けられており、この切込み部５ａ，５ｂによって挿込用の舌片部６が形成される。舌片部６の形状は、例えば逆三角形状である。尚、舌片部６の形状は図に示すような形状に限定されることは無く、如何なる形状であっても良い。そして、表示体４の先端（下端）が周壁１１の外側から内側に向けてスリット２に挿し込まれる。尚、この時、表示体４に表示されている各種情報が内側になるように挿し込まれる。
【００４４】
７は容器本体１内に充填された土壌である。
【００４５】
上記のように構成していると、開口形状が三次元的な立体構造を持ったスリット２から内側に挿し込まれた表示体４は、容器本体内に充填された土壌７によって圧力を受け、この圧力により周壁１１内面に押し付けられて抜け難くなる。すなわち、スリット２と表示体４の切込み部５ａ，５ｂとの掛止力のみで表示体４を支持する場合に比べて、土壌の圧力による支持が更に加わるから、抜け難く、かつ、強固に支持される。更には、表示体４は周壁１１内面に押し付けられているから、その姿勢は周壁１１によって規制を受け、フラフラし難く、表示体４が苗側に倒れ、苗を傷つけることも無い。又、表示体４をスリット２に挿込み易い。
【００４６】
又、上記実施形態にあっては、底板ブランク体Ｙが略楕円形状のものであることから、格別に水抜用孔を打ち抜き形成していなくても、周壁１１と底板１２との境界につながって底板１２には水抜用孔１３ａ，１３ｂが構成されることになる。このように、底板１２の周辺部に水抜用孔１３ａ，１３ｂが複数個形成されていると、苗の根は横に広がる傾向のものとなる。そして、容器本体は紙製のものであることから、これをそのまま土の中に埋めても、紙製の容器は腐食・分解されるものであるから、問題は起きない。却って好都合なものである。従って、底板ブランク体Ｙを容器の底面形状から一部欠けた形状のものとし、水抜用孔が周壁１１と底板１２との境界に沿って複数形成されるようにしていることは、容器本体が紙製の場合に極めて好ましいものである。又、底板ブランク体Ｙを円形にして中央に水抜用孔を形成するよりも、略楕円形状とした方が紙シートから多数の底板ブランク体Ｙを取ることが可能になる。
【００４７】
尚、スリット２への挿込方向を少し変えれば、表示体４の起立角度を調節できる。場合によっては、ほぼ水平方向に表示体４を支持することも出来る。例えば、水平方向に表示体を支持させた場合には、周壁１１の上下方向に支持させた場合よりも、地面上に置かれた容器を真上の立った状態で見ようとした場合、表示体４の情報を見やすい。
【００４８】
又、上記実施の形態では、容器本体１の外側から内側に表示体４を挿し込んでいるが、例えば表示体４が容器本体１内の苗の前に有るように、容器本体１の内側から外側に向けて表示体４をスリット２に挿し込んでも良い。但し、この場合、前記実施の形態の場合よりも、高い位置まで土壌を充填することが要請される。
【００４９】
又、上記実施形態では容器本体は円筒形状の場合で説明したが、これは角錐状ないしは角筒状であっても良い。
【発明の効果】
周壁に表示体挿入用の孔が形成された苗育成用容器を紙製のものとしたから、樹脂製の場合よりも、遥かに低廉なコストで得られる。すなわち、樹脂製の場合には、容器は成形技術により簡単に得られるものの、孔は、容器成形後に、一つ一つ打ち抜かねばならず、その手間は実に大変で、コストが高く付く。これに対して、紙製の場合には、周壁体を打ち抜く際に同時に孔を打ち抜くことが出来、そして従来からの紙コップ製造技術を用いれば、簡単、かつ、低コストで得られる。又、底板が略楕円状に形成されているので、板紙から形成される底板の個数が増えて、更に、低コストで得られる。そして、この略楕円状に形成された底板により、底板の周辺部に水抜用孔が複数個形成されるため、苗の根は横に広がる傾向のものとなり、苗は容器本体から抜け取れ難いものとなり、植苗作業が容易になる。
【００５０】
又、周壁に表示体挿入用の孔が形成されているから、この孔に表示体が挿入された場合には、容器本体部内に充填された土壌によって圧力を受け、この圧力によって表示体は抜け難くなる。かつ、表示体をしっかりと支持する。すなわち、孔と表示体との掛止力のみで表示体を支持する場合に比べて、土壌の圧力による支持が更に加わるから、抜け難く、かつ、強固に支持される。
【００５１】
更に、土壌への挿込方向を少し変えれば、表示体の起立角度を調節できる。場合によっては、ほぼ水平方向に表示体を支持することも出来る。例えば、水平方向に表示体を支持させた場合には、垂直方向に支持させた場合よりも、地面上に置かれた容器を真上の立った状態で見ようとした場合、表示体の文言を見やすい。
【００５２】
又、表示体挿入用の孔の上方側における周壁部に印が構成されているので、苗育成用容器を育苗トレーにセットした後に表示体をスリットに挿し込む場合であっても、セットした苗育成用容器をわざわざ持ち上げることなくスリットの位置が確認できるようになる。
【００５３】
しかも、この印をプレスにより形成される折目ラインにすれば、この折目ラインに沿って周壁部が折り曲げ易くなり、この折曲部によって表示体挿入用の孔の部分が立体的な構造となるので、表示体を極めてスムーズに挿入できるようになる。
【図面の簡単な説明】
【図１】本発明にかかる苗育成用容器の斜視図
【図２】表示体の正面図
【図３】本発明にかかる苗育成用容器に土壌が充填されると共に表示体が支持されている状態での斜視図
【図４】本発明にかかる苗育成用容器の周壁部の展開説明図
【図５】本発明にかかる苗育成用容器の底板部の説明図
【符号の説明】
Ｘ      周壁ブランク体
Ｘｓ    スリット
Ｘｙ    折目ライン
Ｙ      底板ブランク体
１      容器本体
２      スリット
３      折曲部（印）
４      表示体
７      土壌
１１    周壁
１２    底板
【図１】
2005046026.tif 000003
【図２】
2005046026.tif 000004
【図３】
2005046026.tif 000005
【図４】
2005046026.tif 000006
【図５】
2005046026.tif 000007